(57)【特許請求の範囲】
【請求項１】
基地局によって、ユーザ装置によって送信された第１の上りリンクデータ又は第１のアクノリッジメント情報を受信することと、
前記基地局によって、前記第１の上りリンクデータ又は前記第１のアクノリッジメント情報内に含まれる周期的指示情報のフォーマットに従って、前記第１の上りリンクデータ又は前記第１のアクノリッジメント情報をデコードすることと、
前記第１の上りリンクデータ又は前記第１のアクノリッジメント情報のデコードに成功した場合、前記基地局によって、前記第１の上りリンクデータ又は前記第１のアクノリッジメント情報が前記周期的指示情報を含むと判定し、前記基地局によって、前記第１の上りリンクデータ又は前記第１のアクノリッジメント情報内に含まれる前記周期的指示情報に対応する周期的リソースを有効化すること
を含む、リソースを管理する方法。
【請求項２】
前記第１の上りリンクデータ又は前記第１のアクノリッジメント情報のデコードに成功しなかった場合、前記基地局によって、前記第１の上りリンクデータ又は前記第１のアクノリッジメント情報が前記周期的指示情報を含まないと判定し、前記基地局によって、前記第１の上りリンクデータ又は前記第１のアクノリッジメント情報内に含まれる前記周期的指示情報に対応する前記周期的リソースを有効化しないことと、
前記基地局によって、前記第１の上りリンクデータ又は前記第１のアクノリッジメント情報内に含まれない前記周期的指示情報の前記フォーマットに従って、第１の巡回冗長検査（ＣＲＣ）を、前記第１の上りリンクデータ又は前記第１のアクノリッジメント情報に対して実行すること
を更に含む、請求項１に記載の方法。
【請求項３】
前記第１のＣＲＣが正しい場合、前記基地局によって、第１のアクノリッジメントメッセージを前記ユーザ装置に送信することと、
ここで、前記第１のアクノリッジメントメッセージは、前記基地局が前記第１の上りリンクデータ又は前記第１のアクノリッジメント情報を受信したことを示し、
前記第１のＣＲＣが誤りである場合、前記基地局によって、前記第１の上りリンクデータ又は前記第１のアクノリッジメント情報を破棄すること
を更に含む、請求項２に記載の方法。
【請求項４】
前記基地局によって、前記ユーザ装置によって送信された第２の上りリンクデータ又は第２のアクノリッジメント情報を受信することと、
前記基地局によって、前記第２の上りリンクデータ又は前記第２のアクノリッジメント情報内に含まれる前記周期的指示情報の前記フォーマットに従って、前記第２の上りリンクデータ又は前記第２のアクノリッジメント情報をデコードすることと、
前記第２の上りリンクデータ又は前記第２のアクノリッジメント情報のデコードに成功しなかった場合、前記基地局が、前記第１の上りリンクデータ又は前記第１のアクノリッジメント情報内に含まれる前記周期的指示情報に対応する前記周期的リソースを有効化済みならば、前記基地局によって、前記第２の上りリンクデータ又は前記第２のアクノリッジメント情報を破棄すること、又は、前記基地局が、前記第１の上りリンクデータ又は前記第１のアクノリッジメント情報内に含まれる前記周期的指示情報に対応する前記周期的リソースを有効化していないならば、前記基地局によって、前記第２の上りリンクデータ又は前記第２のアクノリッジメント情報内に含まれない前記周期的指示情報の前記フォーマットに従って、第２のＣＲＣを、前記第２の上りリンクデータ又は前記第２のアクノリッジメント情報に対して実行すること
を更に含む、請求項２又は３に記載の方法。
【請求項５】
前記第２のＣＲＣが正しい場合、前記基地局によって、第２のアクノリッジメントメッセージを、前記ユーザ装置に送信することと、
ここで、前記第２のアクノリッジメントメッセージは、前記基地局が前記第２の上りリンクデータ又は前記第２のアクノリッジメント情報を受信したことを示し、
前記第２のＣＲＣが誤りである場合、前記基地局によって、前記第２の上りリンクデータ又は前記第２のアクノリッジメント情報を破棄すること
を更に含む、請求項４に記載の方法。
【請求項６】
前記周期的指示情報は、システムフレーム番号に関連する周期的指示情報を含む、請求項１〜３のいずれか一項に記載の方法。
【請求項７】
前記システムフレーム番号に関連する前記周期的指示情報は、チャネル品質インジケーション（ＣＱＩ）、サウンディングリファレンス信号（ＳＲＳ）、及びスケジューリング要求インジケーション（ＳＲＩ）のうちの少なくとも１つを含む、請求項６に記載の方法。
【請求項８】
ユーザ装置によって送信された第１の上りリンクデータ又は第１のアクノリッジメント情報を受信するように構成された、第１の受信ユニットと、
前記第１の上りリンクデータ又は前記第１のアクノリッジメント情報内に含まれる周期的指示情報のフォーマットに従って、前記第１の上りリンクデータ又は前記第１のアクノリッジメント情報をデコードするように構成された、第１のデコードユニットと、
前記第１のデコードユニットが前記第１の上りリンクデータ又は前記第１のアクノリッジメント情報のデコードに成功した場合に、前記第１の上りリンクデータ又は前記第１のアクノリッジメント情報が前記周期的指示情報を含むと判定するように構成され、そして、前記第１の受信ユニットによって受信された前記第１の上りリンクデータ又は前記第１のアクノリッジメント情報内に含まれる前記周期的指示情報に対応する周期的リソースを有効化するように構成された、第１の処理ユニットと
を備える、基地局。
【請求項９】
前記第１の処理ユニットは、前記第１のデコードユニットが、前記第１の上りリンクデータ又は前記第１のアクノリッジメント情報のデコードに成功しなかった場合に、前記第１の上りリンクデータ又は前記第１のアクノリッジメント情報が前記周期的指示情報を含まないと判定するように構成され、そして、前記第１の受信ユニットによって受信された前記第１の上りリンクデータ又は前記第１のアクノリッジメント情報内に含まれる前記周期的指示情報に対応する周期的リソースを有効化しないように更に構成され、
前記基地局は、
前記第１のデコードユニットが、前記第１の上りリンクデータ又は前記第１のアクノリッジメント情報のデコードに成功しなかった場合に、前記第１の上りリンクデータ又は前記第１のアクノリッジメント情報内に含まれない前記周期的指示情報の前記フォーマットに従って、第１の巡回冗長検査（ＣＲＣ）を、前記第１の上りリンクデータ又は前記第１のアクノリッジメント情報に対して実行するように構成された第１の検査ユニット
を更に備える、請求項８に記載の基地局。
【請求項１０】
前記第１の検査ユニットが前記第１のＣＲＣが正しいと検査した場合に、第１のアクノリッジメントメッセージを前記ユーザ装置に送信するように構成された第２の処理ユニットであって、ここで、前記第１のアクノリッジメントメッセージは、前記基地局が前記第１の上りリンクデータ又は前記第１のアクノリッジメント情報を受信したことを示し、前記第１の検査ユニットが、前記第１のＣＲＣが誤っていると検査した場合に、前記第１の上りリンクデータ又は前記第１のアクノリッジメント情報を破棄するように構成された第２の処理ユニット
を更に備える、請求項９に記載の基地局。
【請求項１１】
前記ユーザ装置によって送信された第２の上りリンクデータ又は第２のアクノリッジメント情報を受信するように構成された、第２の受信ユニットと、
前記第２の上りリンクデータ又は前記第２のアクノリッジメント情報内に含まれる周期的指示情報のフォーマットに従って、前記第２の上りリンクデータ又は前記第２のアクノリッジメント情報をデコードするように構成された、第２のデコードユニットと、
前記第２のデコードユニットが、デコードに成功しない場合に、前記第２の上りリンクデータ又は前記第２のアクノリッジメント情報を処理するように構成された、第３の処理ユニットと
を更に備え、
前記第３の処理ユニットは、
前記第１の処理ユニットが、前記第１の上りリンクデータ又は前記第１のアクノリッジメント情報内に含まれる前記周期的指示情報に対応する前記周期的リソースを有効化済みである場合に、前記第２の上りリンクデータ又は前記第２のアクノリッジメント情報を破棄するように構成された、破棄サブユニット、及び／又は、
前記第１の処理ユニットが、前記第１の上りリンクデータ又は前記第１のアクノリッジメント情報内に含まれる前記周期的指示情報に対応する前記周期的リソースを有効化していない場合に、前記第２の上りリンクデータ又は前記第２のアクノリッジメント情報内に含まれない前記周期的指示情報の前記フォーマットに従って、第２のＣＲＣを、前記第２の上りリンクデータ又は前記第２のアクノリッジメント情報に対して実行するように構成された、検査サブユニット
を更に備える、請求項９又は１０に記載の基地局。
【請求項１２】
前記第３の処理ユニットは、
前記検査サブユニットが前記第２のＣＲＣが正しいと検査した場合に、第２のアクノリッジメントメッセージを前記ユーザ装置に送信するよう構成された処理サブユニットであって、ここで、前記第２のアクノリッジメントメッセージは、前記基地局が前記第２の上りリンクデータ又は前記第２のアクノリッジメント情報を受信したことを示し、前記検査サブユニットが前記第２のＣＲＣが誤りであると検査した場合に、前記第２の上りリンクデータ又は前記第２のアクノリッジメント情報を破棄するように構成された処理サブユニット
を更に備える、請求項１１に記載の基地局。
【請求項１３】
前記周期的指示情報は、システムフレーム番号に関連する周期的指示情報を含む、請求項８〜１０のいずれか一項に記載の基地局。
【請求項１４】
前記システムフレーム番号に関連する前記周期的指示情報は、チャネル品質インジケーション（ＣＱＩ）、サウンディングリファレンス信号（ＳＲＳ）、及びスケジューリング要求インジケーション（ＳＲＩ）のうちの少なくとも１つを含む、請求項１３に記載の基地局。
【請求項１５】
請求項８〜１４のいずれか一項に記載の前記基地局を備える、モバイル通信システム。
【発明の詳細な説明】
【技術分野】
【０００１】
本出願は、２０１１年１月６日に中国専利局に出願された、「Ｍｅｔｈｏｄ，Ｂａｓｅ  Ｓｔａｔｉｏｎ  ａｎｄ  Ｓｙｓｔｅｍ  ｆｏｒ  Ｍａｎａｇｉｎｇ  Ｒｅｓｏｕｒｃｅｓ（リソースを管理する方法、基地局、及びシステム）」と題された、中国特許出願第２０１１１０００６６２０．２号の優先権を主張するものであり、当該出願はその全体が参照によって本明細書中に援用される。
【０００２】
本発明は、通信技術の分野に関し、特に、リソースを管理する方法、基地局、及びシステムに関する。
【背景技術】
【０００３】
ロングタームエボリューション（Ｌｏｎｇ  Ｔｅｒｍ  Ｅｖｏｌｕｔｉｏｎ，ＬＴＥ）システムにおいて、ユーザ装置は、ソース基地局から送信された無線リソース制御（Ｒａｄｉｏ  Ｒｅｓｏｕｒｃｅ  Ｃｏｎｔｒｏｌ，ＲＲＣ）コマンドを受信した後、アクセス要求をターゲット基地局にランダムに送信する。ターゲット基地局は、アクセス要求を受信し、アクセス応答を返して、ユーザ装置との接続を確立する。ユーザ装置との接続を確立した後、ターゲット基地局は、システムフレーム番号に関連する周期的指示情報（例えば、ＣＱＩ(チャネル品質インジケーション、Ｃｈａｎｎｅｌ  Ｑｕａｌｉｔｙ  Ｉｎｄｉｃａｉｏｎ）、ＳＲＳ（サウンディングリファレンス信号、Ｓｏｕｎｄｉｎｇ  Ｒｅｆｅｒｅｎｃｅ  Ｓｉｇｎａｌ）、及びＳＲＩ（スケジューリング要求インジケーション、Ｓｃｈｅｄｕｌｉｎｇ  Ｒｅｑｕｅｓｔ  Ｉｎｄｉｃａｔｉｏｎ））に対応する、ＣＱＩ又はＳＲＳを周期的に伝送しているサブフレームのような、周期的リソースを適時に有効化し、一方、ユーザ装置は、システムフレーム番号（Ｓｙｓｔｅｍ  Ｆｒａｍｅ  Ｎｕｍｂｅｒ，ＳＦＮ）に関連する周期的リソースを、ＳＦＮを取得した後、有効化する。
例えば、ユーザ装置との接続を確立した後、ターゲット基地局は、ＣＱＩを伝送しているサブフレームを適時に有効化する。ここで、ターゲット基地局は、ＣＱＩを伝送しているサブフレーム内に、ユーザ装置によって報告されるＣＱＩが存在するとみなし、従って、巡回冗長検査（ＣＲＣ）が実行される。しかし、ユーザ装置とターゲット基地局とが、ＣＱＩを伝送しているサブフレームを非同期に有効化することに起因して、ユーザ装置は、ＣＱＩを伝送しているサブフレームをまだ有効化していない可能性があり、従って、ターゲット基地局によって実行されるＣＲＣによってエラーが検出され、データが誤って再送され、中断時間遅延が増加する。
【発明の概要】
【発明が解決しようとする課題】
【０００４】
本発明の実施形態は、データが誤って再送されることを防止し、これにより、中断時間遅延を減少させる、リソースを管理する方法、基地局、及びシステムを提供する。
【課題を解決するための手段】
【０００５】
本発明の一態様は、リソースを管理する方法を提供し、この方法は、基地局によって、ユーザ装置によって送信された第１の上りリンクデータ又は第１のアクノリッジメント情報を受信し、基地局によって、第１の上りリンクデータ又は第１のアクノリッジメント情報内に含まれる周期的指示情報のフォーマットに従って、第１の上りリンクデータ又は第１のアクノリッジメント情報をデコードし、第１の上りリンクデータ又は第１のアクノリッジメント情報のデコードに成功した場合、基地局によって、第１の上りリンクデータ又は第１のアクノリッジメント情報が周期的指示情報を含むと判定し、基地局によって、第１の上りリンクデータ又は第１のアクノリッジメント情報内に含まれる周期的指示情報に対応する周期的リソースを有効化することを含む。
【０００６】
本発明の別の態様は、基地局を提供し、この基地局は、ユーザ装置によって送信された第１の上りリンクデータ又は第１のアクノリッジメント情報を受信するように構成された、第１の受信ユニットと、第１の上りリンクデータ又は第１のアクノリッジメント情報内に含まれる周期的指示情報のフォーマットに従って、第１の上りリンクデータ又は第１のアクノリッジメント情報をデコードするように構成された、第１のデコードユニットと、第１のデコードユニットが第１の上りリンクデータ又は第１のアクノリッジメント情報のデコードに成功した場合に、第１の上りリンクデータ又は第１のアクノリッジメント情報が周期的指示情報を含むと判定するように構成され、そして、第１の受信ユニットによって受信された第１の上りリンクデータ又は第１のアクノリッジメント情報内に含まれる周期的指示情報に対応する周期的リソースを有効化するように構成された、第１の処理ユニットとを含む。
【０００７】
本発明の更に別の態様は、前述の基地局を含むモバイル通信システムを提供する。
【発明の効果】
【０００８】
上記の技術的解決法において、基地局は、上りリンクデータ又はアクノリッジメント情報内に含まれる周期的指示情報のフォーマットに従って、ユーザ装置によって送信された上りリンクデータ又はアクノリッジメント情報をデコードし、デコードに成功した場合、ユーザ装置によって送信された上りリンクデータ又はアクノリッジメント情報が周期的指示情報を含むと判定し、次に、上りリンクデータ又はアクノリッジメント情報内に含まれる周期的指示情報に対応する周期的リソースを有効化し、これにより、周期的指示情報に対応する周期的リソースを基地局とユーザ装置とが非同期に有効化することに起因してデータが誤って再送されるという、従来技術における問題が克服され、その結果、中断時間遅延が減少する。
【図面の簡単な説明】
【０００９】
本発明の実施形態の技術的解決法をより明確に説明するために、実施形態の説明において使用される図面について、以下に簡単に紹介する。明らかに、以下の図面は、本発明のいくつかの実施形態を示すものにすぎず、当業者は、これらの図面から、いかなる創造的な活動も行うことなく、その他の図面を取得することが可能である。
【００１０】
【図１】本発明の実施形態による、リソースを管理する方法のフロー図である。
【図２】本発明の実施形態による、リソースを管理する別の方法のフロー図である。
【図３】本発明の実施形態による、リソースを管理する更に別の方法のフロー図である。
【図４（１）】本発明の実施形態による基地局の構成概略図である。
【図４（２）】本発明の実施形態による別の基地局の構成概略図である。
【図５】本発明の実施形態による更に別の基地局の構成概略図である。
【発明を実施するための形態】
【００１１】
本発明の実施形態の技術的解決法について、本発明の実施形態における図面を参照して、以下に明確かつ完全に説明する。明らかに、本明細書中で説明されるものは、本発明の実施形態の一部にすぎず、全ての実施形態ではない。本発明の実施形態に基づいて、当業者によって、いかなる創造的な活動も行うことなく取得される全てのその他の実施形態は、本発明の保護範囲内に入る。
【００１２】
図１に示すように、本発明の実施形態は、以下の内容を含む、リソースを管理する方法を提供する。
【００１３】
１１：基地局は、ユーザ装置によって送信された第１の上りリンクデータ又は第１のアクノリッジメント情報を受信する。実装プロセスの間、アクノリッジメント情報は、アクノリッジメント文字ＡＣＫ（ａｃｋｎｏｗｌｅｄｇｅ）であってもよい。
【００１４】
必要に応じて、ステップ１１の前に、この方法は、次を更に含んでもよい。１０：ユーザ装置によって送信されたアクセス要求を受信した後、基地局は、アクセス応答を、ユーザ装置に返して、ユーザ装置との接続を確立する。
【００１５】
１２：基地局は、第１の上りリンクデータ又は第１のアクノリッジメント情報内に含まれる周期的指示情報のフォーマットに従って、受信された第１の上りリンクデータ又は第１のアクノリッジメント情報をデコードし、デコードが成功の場合、ステップ１３が実行され、デコードが不成功の場合、ステップ１４が実行される。
【００１６】
周期的指示情報は、ＳＦＮに関連する周期的指示情報であってもよく、ＳＦＮに関連する周期的指示情報は、ＣＱＩ、ＳＲＳ、ＳＲＩなどのうちの少なくとも１つを含む。ＣＱＩに対応するチャネルは、物理上りリンク制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）、又は物理上りリンク共有チャネル（Ｐｈｙｓｉｃａｌ  Ｕｐｌｉｎｋ  Ｓｈａｒｅｄ  Ｃｈａｎｎｅｌ，ＰＵＳＣＨ）であってもよい。
【００１７】
１３：基地局は、受信された第１の上りリンクデータ又は第１のアクノリッジメント情報が周期的指示情報を含むと判定し、第１の上りリンクデータ又は第１のアクノリッジメント情報内に含まれる周期的指示情報に対応する周期的リソースを有効化する。
【００１８】
実装プロセスの間、周期的指示情報に対応する周期的リソースは、周期的指示情報を伝送しているサブフレームなどのリソースを含む。
【００１９】
１４：基地局は、受信された第１の上りリンクデータ又は第１のアクノリッジメント情報が周期的指示情報を含まないと判定し、第１の上りリンクデータ又は第１のアクノリッジメント情報内に含まれる周期的指示情報に対応する周期的リソースを有効化しない。必要に応じて、ステップ１５が、このステップの後に実行されてもよい。
【００２０】
１５：基地局は、第１の上りリンクデータ又は第１のアクノリッジメント情報内に含まれない周期的指示情報のフォーマットに従って、第１のＣＲＣを、受信された第１の上りリンクデータ又は第１のアクノリッジメント情報に対して実行し、検査が正しい場合、ステップ１６が実行され、検査が誤りである場合、ステップ１７が実行される。
【００２１】
１６：基地局は、第１のアクノリッジメントメッセージを、ユーザ装置に送信し、ここで、第１のアクノリッジメントメッセージは、基地局が第１の上りリンクデータ又は第１のアクノリッジメント情報を受信したことを示す。
【００２２】
１７：基地局は、受信された第１の上りリンクデータ又は第１のアクノリッジメント情報を破棄する。
【００２３】
随意選択の実施形態として、ステップ１３が実行された後、すなわち、基地局が、第１の上りリンクデータ又は第１のアクノリッジメント情報内に含まれる周期的指示情報に対応する周期的リソースを有効化した後、ユーザ装置によって送信された第２の上りリンクデータ又は第２のアクノリッジメント情報が、基地局によって受信された場合、図２に示すように、以下の内容がこの方法内に更に含まれてもよい。
【００２４】
２１：基地局は、ユーザ装置によって送信された第２の上りリンクデータ又は第２のアクノリッジメント情報を受信する。
【００２５】
２２：基地局は、第２の上りリンクデータ又は第２のアクノリッジメント情報内に含まれる周期的指示情報のフォーマットに従って、受信された第２の上りリンクデータ又は第２のアクノリッジメント情報をデコードし、デコードが成功の場合、ステップ２３が実行され、デコードが不成功の場合、ステップ２４が実行される。
【００２６】
２３：基地局は、第２の上りリンクデータ又は第２のアクノリッジメント情報内に含まれる周期的指示情報に対応する周期的リソースを有効化する。
【００２７】
２４：基地局は、受信された第２の上りリンクデータ又は第２のアクノリッジメント情報を破棄する。
【００２８】
別の随意選択の実施形態として、ステップ１４が実行された後、すなわち、基地局が、第１の上りリンクデータ又は第１のアクノリッジメント情報内に含まれる周期的指示情報に対応する周期的リソースを有効化しなかった後、ユーザ装置によって送信された第２の上りリンクデータ又は第２のアクノリッジメント情報が、基地局によって受信された場合、図３に示すように、以下の内容がこの方法内に更に含まれてもよい。
【００２９】
３１：基地局は、ユーザ装置によって送信された第２の上りリンクデータ又は第２のアクノリッジメント情報を受信する。
【００３０】
３２：基地局は、第２の上りリンクデータ又は第２のアクノリッジメント情報内に含まれる周期的指示情報のフォーマットに従って、受信された第２の上りリンクデータ又は第２のアクノリッジメント情報をデコードし、デコードが成功の場合、ステップ３３が実行され、デコードが不成功の場合、ステップ３４が実行される。
【００３１】
３３：基地局は、受信された第２の上りリンクデータ又は第２のアクノリッジメント情報内に含まれる周期的指示情報に対応する周期的リソースを有効化する。
【００３２】
３４：基地局は、第２の上りリンクデータ又は第２のアクノリッジメント情報内に含まれない周期的指示情報のフォーマットに従って、第２のＣＲＣを、受信された第２の上りリンクデータ又は第２のアクノリッジメント情報に対して実行し、検査が正しい場合、ステップ３５が実行され、検査が誤りである場合、ステップ３６が実行される。
【００３３】
３５：基地局は、第２のアクノリッジメントメッセージを、ユーザ装置に送信し、ここで、第２のアクノリッジメントメッセージは、基地局が第２の上りリンクデータ又は第２のアクノリッジメント情報を受信したことを示す。
【００３４】
３６：基地局は、受信された第２の上りリンクデータ又は第２のアクノリッジメント情報を破棄する。
【００３５】
上記の方法において、上りリンクデータ又はアクノリッジメント情報内に含まれる周期的指示情報のフォーマットに従ってデコードするプロセスは、実質的に、基地局が、ユーザ装置によって送信された上りリンクデータ又はアクノリッジメント情報が周期的指示情報を含むかどうかを取得して、周期的指示情報に対応するリソースをユーザ装置が有効化したかどうかを適時に取得することを可能にする目的のために、上記のフォーマットに従ってＣＲＣを実行することである。デコードが、上りリンクデータ又はアクノリッジメント情報内に含まれる周期的指示情報のフォーマットに従って実行され、デコードが成功の場合、これは、ユーザ装置が周期的リソースを有効化したことを意味し、これにより、周期的指示情報に対応する周期的リソースを基地局とユーザ装置とが非同期に有効化することに起因してデータが誤って再送されるという、従来技術における問題が克服され、その結果、中断時間遅延が減少する。
【００３６】
具体的には、ＣＲＣを使用したエラー検出プロセスは、伝送されるＫビットの２進コード列に従って、ユーザ装置側において、特定の規則で検査するためのｒビットのＣＲＣコードを生成し、これを元の情報の後に付けて、合計Ｋ＋ｒビットの新たな２進コード列を形成し、次に、新たな２進コード列を基地局に送信する。基地局は、情報コードとＣＲＣコードとの間で従われる規則に従って、検査を実行することであってもよく、ここで、情報フィールド及びＣＲＣコードの検査フィールドの長さは、ランダムに選択されてもよく、ここで、Ｋ及びｒは正の整数である。
【００３７】
本発明の実施形態は、基地局を提供し、図４（１）に示すように、基地局は、第１の受信ユニット４１と、第１のデコードユニット４２と、第１の処理ユニット４３とを含む。ここで、第１の受信ユニット４１は、ユーザ装置によって送信された第１の上りリンクデータ又は第１のアクノリッジメント情報を受信する。実装プロセスの間、アクノリッジメント情報は、アクノリッジメント文字ＡＣＫ（ａｃｋｎｏｗｌｅｄｇｅ）であってもよい。第１のデコードユニット４２は、第１の上りリンクデータ又は第１のアクノリッジメント情報内に含まれる周期的指示情報のフォーマットに従って、第１の上りリンクデータ又は第１のアクノリッジメント情報をデコードする。第１のデコードユニット４２が、第１の上りリンクデータ又は第１のアクノリッジメント情報のデコードに成功した場合、第１の処理ユニット４３は、第１の受信ユニット４１によって受信された第１の上りリンクデータ又は第１のアクノリッジメント情報が周期的指示情報を含むと判定し、第１の上りリンクデータ又は第１のアクノリッジメント情報内に含まれる周期的指示情報に対応する周期的リソースを有効化し、第１のデコードユニット４２が、第１の上りリンクデータ又は第１のアクノリッジメント情報のデコードに成功しなかった場合、第１の処理ユニット４３は、第１の受信ユニット４１によって受信された第１の上りリンクデータ又は第１のアクノリッジメント情報が周期的指示情報を含まないと判定し、第１の上りリンクデータ又は第１のアクノリッジメント情報内に含まれる周期的指示情報に対応する周期的リソースを有効化しない。
【００３８】
周期的指示情報は、ＳＦＮに関連する周期的指示情報であってもよく、ＳＦＮに関連する周期的指示情報は、ＣＱＩ、ＳＲＳ、ＳＲＩなどのうちの少なくとも１つを含む。
【００３９】
必要に応じて、図４（２）に示すように、基地局は、第１のデコードユニット４２が、第１の受信ユニット４１によって受信された第１の上りリンクデータ又は第１のアクノリッジメント情報のデコードに成功しなかった場合に、第１の上りリンクデータ又は第１のアクノリッジメント情報内に含まれない周期的指示情報のフォーマットに従って、第１のＣＲＣを、第１の上りリンクデータ又は第１のアクノリッジメント情報に対して実行するように構成された、第１の検査ユニット４４を更に含んでもよい。
【００４０】
必要に応じて、基地局は、第１の検査ユニット４４が、第１のＣＲＣが正しいと検査した場合に、第１のアクノリッジメントメッセージをユーザ装置に送信し、ここで、第１のアクノリッジメントメッセージは、基地局が第１の上りリンクデータ又は第１のアクノリッジメント情報を受信したことを示し、第１の検査ユニット４４が、ＣＲＣが誤りであると検査した場合に、第１の受信ユニット４１によって受信された第１の上りリンクデータ又は第１のアクノリッジメント情報を破棄するように構成された、第２の処理ユニット４５を更に含んでもよい。
【００４１】
第１の受信ユニット４１を実行する前に、基地局は、ユーザ装置によって送信されたアクセス要求を受信した後に、アクセス応答を返して、ユーザ装置との接続を確立するように構成された、接続確立ユニット４０を更に含んでもよい。
【００４２】
必要に応じて、図５に示すように、基地局は、第２の受信ユニット５１と、第２のデコードユニット５２と、第３の処理ユニット５３とを更に含んでもよい。ここで、第２の受信ユニット５１は、ユーザ装置によって送信された第２の上りリンクデータ又は第２のアクノリッジメント情報を受信する。第２のデコードユニット５２は、第２の上りリンクデータ又は第２のアクノリッジメント情報内に含まれる周期的指示情報のフォーマットに従って、第２の受信ユニット５１によって受信された第２の上りリンクデータ又は第２のアクノリッジメント情報をデコードする。第２のデコードユニット５２が、第２の上りリンクデータ又は第２のアクノリッジメント情報のデコードに成功した場合、第３の処理ユニット５３は、第２の受信ユニット５１によって受信された第２の上りリンクデータ又は第２のアクノリッジメント情報が周期的指示情報を含むと判定し、第２の上りリンクデータ又は第２のアクノリッジメント情報内に含まれる周期的指示情報に対応する周期的リソースを有効化し、第２のデコードユニット５２が、デコードに成功しなかった場合、第３の処理ユニット５３は、第２の上りリンクデータ又は第２のアクノリッジメント情報を処理する。実装プロセスの間、第３の処理ユニット５３は、
第１の処理ユニット４３が、第１の上りリンクデータ又は第１のアクノリッジメント情報内に含まれる周期的指示情報に対応する周期的リソースを有効化済みである場合に、第２の受信ユニット５１によって受信された第２の上りリンクデータ又は第２のアクノリッジメント情報を破棄するように構成された、破棄サブユニット５３１、及び／又は、
第１の処理ユニット４３が、第１の上りリンクデータ又は第１のアクノリッジメント情報内に含まれる周期的指示情報に対応する周期的リソースを有効化しなかった場合に、第２の上りリンクデータ又は第２のアクノリッジメント情報内に含まれない周期的指示情報のフォーマットに従って、第２のＣＲＣを、第２の受信ユニット５１によって受信された第２の上りリンクデータ又は第２のアクノリッジメント情報に対して実行するように構成された、検査サブユニット５３２を更に含んでもよい。
【００４３】
必要に応じて、基地局は、検査サブユニット５３２が、第２のＣＲＣが正しいと検査した場合に、第２のアクノリッジメントメッセージを、ユーザ装置に送信しここで、第２のアクノリッジメントメッセージは、基地局が第２の上りリンクデータ又は第２のアクノリッジメント情報を受信したことを示し、検査サブユニット５３２が、第２のＣＲＣが誤りであると検査した場合に、第２の受信ユニット５１によって受信された第２の上りリンクデータ又は第２のアクノリッジメント情報を破棄するように構成された、処理サブユニット５３３を更に含んでもよい。
【００４４】
基地局内に含まれるそれぞれのユニットの処理機能の特定の実装手法は、上記の方法の実施形態において説明されており、ここでは繰り返さない。
【００４５】
本発明の実施形態では、基地局は、ユーザ装置との接続を確立した直後には、周期的指示情報に対応する周期的リソースを有効化せず、代わりに、基地局は、上りリンクデータ又はアクノリッジメント情報内に含まれる周期的指示情報のフォーマットに従って、上りリンクデータ又はアクノリッジメント情報をデコードすることに成功し、ユーザ装置が周期的リソースを有効化したと判定した後に、周期的指示情報に対応する周期的リソースを有効化する。上りリンクデータ又はアクノリッジメント情報内に含まれる周期的指示情報のフォーマットに従って、上りリンクデータ又はアクノリッジメント情報をデコードすることに成功した場合、これは、ユーザ装置が周期的リソースを有効化したことを意味し、従って、この場合、基地局は周期的リソースを有効化し、これにより、ＣＲＣエラーに起因するデータ再送が回避され、その結果、中断時間遅延が減少する。更に、上りリンクデータ又はアクノリッジメント情報内に含まれる周期的指示情報のフォーマットに従って、上りリンクデータ又はアクノリッジメント情報をデコードすることに成功しなかった場合、基地局は、上りリンクデータ又はアクノリッジメント情報内に含まれない周期的指示情報のフォーマットに従って、ＣＲＣを、上りリンクデータ又はアクノリッジメント情報に対して実行し、従って、基地局は、周期的指示情報に対応する周期的リソースを、適切な時に有効化し、その結果、スイッチング中断時間遅延を減少させるという目的が達成される。
【００４６】
基地局の上記の実施形態において、含まれるそれぞれのユニットは、機能論理に従って分類されたにすぎず、対応する機能が実施されることが可能である限り、分類はこれに限定されない、ということに留意されたい。加えて、それぞれのユニットの特定の名称も、本発明の保護範囲を限定するためではなく、ユニットをお互いに区別するために使用されたにすぎない。
【００４７】
加えて、上記のそれぞれの方法実施形態におけるステップの全て又は一部は、プログラムを介して、関連するハードウェアに指示することによって実施されてもよく、対応するプログラムは、コンピュータ読み取り可能な記憶媒体内に記憶されてもよい、ということを当業者は理解することができる。上述の記憶媒体は、読み取り専用メモリ（ＲＯＭ）、磁気ディスク、光ディスクなどであってもよい。
【００４８】
上記の説明は、本発明の好ましい実施形態にすぎず、本発明の保護範囲はこれに限定されない。本発明の実施形態によって開示された技術的範囲内の、当業者にとって容易に想到可能ないかなる変更又は置換も、本発明の保護範囲内に入る。従って、本発明の保護範囲は、特許請求の範囲の保護範囲によって決定される。
【図１】
0005700883.tif 000002
【図２】
0005700883.tif 000003
【図３】
0005700883.tif 000004
【図４（１）】
0005700883.tif 000005
【図４（２）】
0005700883.tif 000006
【図５】
0005700883.tif 000007